(57)【要約】      （修正有）【課題】必要な求人・求職情報を必要とされる時に容易且つ効率よく提供できる就職情報提供システムを得る。【解決手段】センターサーバ２がインターネット３を介して求人者通信端末４に接続され、該センターサーバ２から該求職者通信端末５に、求人者が提供した求人情報２４を提供する就職情報提供システム１であって、センターサーバ２は求人情報２４及び該求職情報コード１２を記憶する記憶手段２１と、該求職情報コード１２に基づき求人情報２４を検索する検索手段２２とを備え、該センターサーバ２が所定の求職者通信端末５からの求職情報コード１２に基づき検索手段２２によって求人情報２４を検索し、検索結果を求職者通信端末５に提供すると共に、求職情報コード１２及び該求職者通信端末５に関する属性情報（Ｅメールアドレス７）を求人者通信端末４に提供するように構成されている就職情報提供システムを提供する。【選択図】図１
2005071279.tif 000002
【特許請求の範囲】
【請求項１】
センターサーバがインターネットを介して求職者が操作する求職者通信端末及び求人者が操作する求人者通信端末に接続され、該センターサーバから該求職者通信端末に、前記求人者が提供した求人情報を提供する就職情報提供システムであって、前記求職者通信端末はＥメールアドレス内に求職情報コードを挿入して発信自在に構成され、前記センターサーバは前記求人情報及び該求職情報コードを記憶する記憶手段と、該求職情報コードに基づき前記求人情報を検索する検索手段とを備え、該センターサーバが所定の求職者通信端末から前記求職情報コードを受信すると、該求職情報コードに基づき前記検索手段によって前記求人情報を検索し、検索結果を前記求職者通信端末に提供すると共に、前記求職情報コード及び該求職者通信端末に関する属性情報を前記求人者通信端末に提供するように構成されていることを特徴とする就職情報提供システム。
【請求項２】
センターサーバがインターネットを介して求職者が操作する求職者通信端末及び求人者が操作する求人者通信端末に接続され、該センターサーバから該求人者通信端末に、前記求職者が提供した求職情報を提供する就職情報提供システムであって、前記求人者通信端末はＥメールアドレス内に求人情報コードを挿入して発信自在に構成され、前記センターサーバは前記求職情報及び該求人情報コードを記憶する記憶手段と、該求人情報コードに基づき前記求職情報を検索する検索手段とを備え、該センターサーバが所定の求人者通信端末から前記求人情報コードを受信すると、該求人情報コードに基づき前記検索手段によって前記求職情報を検索し、検索結果を前記求人者通信端末に提供すると共に、前記求人情報コード及び該求人者通信端末に関する属性情報を前記求職者通信端末に提供するように構成されていることを特徴とする就職情報提供システム。
【請求項３】
上記求職者通信端末及び求人者通信端末に関する属性情報は、該通信端末のＥメールアドレスであることを特徴とする請求項１又は２記載の就職情報提供システム。
【請求項４】
上記センターサーバはＷｅｂページ作成手段を備え、該Ｗｅｂページ作成手段によって作成するＷｅｂページに上記検索手段で検索した検索結果を表示するように構成されていることを特徴とする請求項１，２又は３記載の就職情報提供システム。
【請求項５】
上記センターサーバは検索結果を表示する上記ＷｅｂページのＵＲＬを上記通信端末に送信し、該通信端末は該ＵＲＬを受信した後、該ＵＲＬが選択されることにより前記Ｗｅｂページを受信するように構成されていることを特徴とする請求項４記載の就職情報提供システム。
【請求項６】
上記情報コードはＥメールアドレス内のアカウント部に挿入されることを特徴とする請求項１，２，３，４又は５記載の就職情報提供システム。
【請求項７】
上記情報コードはＥメールアドレス内のドメイン部に挿入されることを特徴とする請求項１，２，３，４，５又は６記載の就職情報提供システム。
【請求項８】
上記情報コードは郵便番号、年齢、性別、電話番号、識別情報を示す情報コードが選択的に含まれていることを特徴とする請求項１，２，３，４，５，６又は７記載の就職情報提供システム。
【発明の詳細な説明】
【技術分野】
【０００１】
本発明は、就職情報提供システムに関するものであり、特に、センターサーバがインターネットを介して通信端末に接続され、該センターサーバから該通信端末に就職に関する情報を提供する就職情報提供システムに関するものである。
【背景技術】
【０００２】
従来の此種の情報提供システムとして、例えば特許文献１に記載の情報コード対応電子メール情報取得システムは、携帯電話の電子メールのアカウント部分又は題名部分もしくは本文に情報コードを含ませ、これらの情報コードをインターネットを介して送信先のセンターサーバに送信し、該センターサーバがその情報コードに対応した情報をデータベースから読み取り、読み取った情報の内容を送信元へ電子メールとして送り返すようにしたものであり、該システムの採用により、携帯電話等によって容易に情報を取得可能となるように構成されている。
【特許文献１】特開２００２−２４１４９号公報
【発明の開示】
【発明が解決しようとする課題】
【０００３】
上記特許文献１の情報コード対応電子メール情報取得システムは、携帯電話の電子メールのアカウント部分又は題名部分もしくは本文に情報コードを含ませ、これらの情報コードをインターネットを介して送信先のセンターサーバに送信し、該センターサーバがその情報コードに対応した情報を送信元へ電子メールとして返信するようにしたものであり、携帯電話等によって容易に情報を取得可能である。
【０００４】
然しながら、前記情報コード対応電子メール情報取得システムは情報を携帯電話等にメールにて返信するものであり、該メールによる情報は大量情報になる虞があり、且つ、不要情報を含む虞があった。
【０００５】
又、前記情報コードは情報を取得するためにのみ利用されるものであり、該情報コードを有効な情報源として利用するものではない。
【０００６】
更に、近年、求人情報を匿名で、効率良く、且つ、容易に取得したいという要望があり、又、求職情報を効率良く取得したいという要望があるが、前記情報コード対応電子メール情報取得システムは求人情報又は求職情報に対応したものではなく、求人情報・求職情報を容易且つ効率良く提供する就職情報提供システムが望まれている。
【０００７】
そこで、必要な求人・求職情報を必要とされる時に容易且つ効率よく提供できる就職情報提供システムを得るために解決すべき技術的課題が生じてくるのであり、本発明はこの課題を解決することを目的とする。
【課題を解決するための手段】
【０００８】
本発明は上記目的を達成するために提案されたものであり、センターサーバがインターネットを介して求職者が操作する求職者通信端末及び求人者が操作する求人者通信端末に接続され、該センターサーバから該求職者通信端末に、前記求人者が提供した求人情報を提供する就職情報提供システムであって、前記求職者通信端末はＥメールアドレス内に求職情報コードを挿入して発信自在に構成され、前記センターサーバは前記求人情報及び該求職情報コードを記憶する記憶手段と、該求職情報コードに基づき前記求人情報を検索する検索手段とを備え、該センターサーバが所定の求職者通信端末から前記求職情報コードを受信すると、該求職情報コードに基づき前記検索手段によって前記求人情報を検索し、検索結果を前記求職者通信端末に提供すると共に、前記求職情報コード及び該求職者通信端末に関する属性情報を前記求人者通信端末に提供するように構成されている就職情報提供システム、
及び、センターサーバがインターネットを介して求職者が操作する求職者通信端末及び求人者が操作する求人者通信端末に接続され、該センターサーバから該求人者通信端末に、前記求職者が提供した求職情報を提供する就職情報提供システムであって、前記求人者通信端末はＥメールアドレス内に求人情報コードを挿入して発信自在に構成され、前記センターサーバは前記求職情報及び該求人情報コードを記憶する記憶手段と、該求人情報コードに基づき前記求職情報を検索する検索手段とを備え、該センターサーバが所定の求人者通信端末から前記求人情報コードを受信すると、該求人情報コードに基づき前記検索手段によって前記求職情報を検索し、検索結果を前記求人者通信端末に提供すると共に、前記求人情報コード及び該求人者通信端末に関する属性情報を前記求職者通信端末に提供するように構成されている就職情報提供システム、
及び、上記求職者通信端末及び求人者通信端末に関する属性情報は、該通信端末のＥメールアドレスである就職情報提供システム、
及び、上記センターサーバはＷｅｂページ作成手段を備え、該Ｗｅｂページ作成手段によって作成するＷｅｂページに上記検索手段で検索した検索結果を表示するように構成されている就職情報提供システム、
及び、上記センターサーバは検索結果を表示する上記ＷｅｂページのＵＲＬを上記通信端末に送信し、該通信端末は該ＵＲＬを受信した後、該ＵＲＬが選択されることにより前記Ｗｅｂページを受信するように構成されている就職情報提供システム、
及び、上記情報コードはＥメールアドレス内のアカウント部に挿入される就職情報提供システム、
及び、上記情報コードはＥメールアドレス内のドメイン部に挿入される就職情報提供システム、
並びに、上記情報コードは郵便番号、年齢、性別、電話番号、識別情報を示す情報コードが選択的に含まれている就職情報提供システムを提供する。
【発明の効果】
【０００９】
本発明の請求項１記載の発明は、求人情報を提供する就職情報提供システムであって、求職者通信端末はＥメールアドレス内に求職情報コードを挿入して発信自在に構成され、センターサーバは前記求人情報及び該求職情報コードを記憶する記憶手段と、該求職情報コードに基づき前記求人情報を検索する検索手段とを備え、該センターサーバが所定の求職者通信端末から前記求職情報コードを受信すると、該求職情報コードに基づき前記検索手段によって前記求人情報を検索し、検索結果を前記求職者通信端末に提供すると共に、前記求職情報コード及び該求職者通信端末に関する属性情報を前記求人者通信端末に提供するように構成されているので、求職者通信端末から容易に求職情報コードを送信でき、且つ、該求職情報コードに基づく求人情報を該求職者通信端末に容易に提供することができると共に、求職情報コード及び求職者通信端末に関する属性情報を前記求人者通信端末に提供することができる。
【００１０】
又、請求項２記載の発明は、求職情報提供システムであって、求人者通信端末はＥメールアドレス内に求人情報コードを挿入して発信自在に構成され、センターサーバは前記求職情報及び該求人情報コードを記憶する記憶手段と、該求人情報コードに基づき前記求職情報を検索する検索手段とを備え、該センターサーバが所定の求人者通信端末から前記求人情報コードを受信すると、該求人情報コードに基づき前記検索手段によって前記求職情報を検索し、検索結果を前記求人者通信端末に提供すると共に、前記求人情報コード及び該求人者通信端末に関する属性情報を前記求職者通信端末に提供するように構成されているので、求人者通信端末から容易に求人情報コードを送信でき、且つ、該求人情報コードに基づく求職情報を該求職者通信端末に容易に提供することができると共に、前記求人情報コード及び求職者通信端末に関する属性情報を前記求人者通信端末に提供することができる。
【００１１】
更に、請求項３記載の発明は、上記求職者通信端末及び求人者通信端末に関する属性情報は、該通信端末のＥメールアドレスであるので、請求項１又は２記載の発明の効果に加え、該Ｅメールアドレスを提供できると共に、該Ｅメールアドレスによって情報の送信を容易に行うことができる。
【００１２】
更に又、請求項４記載の発明は、上記センターサーバはＷｅｂページ作成手段を備え、該Ｗｅｂページ作成手段によって作成するＷｅｂページに上記検索手段で検索した検索結果を表示するように構成されているので、請求項１，２又は３記載の発明の効果に加え、該Ｗｅｂページによって情報の表示が容易となる。
【００１３】
そして、請求項５記載の発明は、上記センターサーバは検索結果を表示する上記ＷｅｂページのＵＲＬを上記通信端末に送信し、該通信端末は該ＵＲＬを受信した後、該ＵＲＬが選択されることにより前記Ｗｅｂページを受信するように構成されているので、請求項４記載の発明の効果に加え、該Ｗｅｂページによって必要な時に必要量の情報を効率良く受けとることができる。
【００１４】
又、請求項６記載の発明は、上記情報コードはＥメールアドレス内のアカウント部に挿入されるので、請求項１，２，３，４又は５記載の発明の効果に加え、情報コードの発信が容易になると共に、該情報コードをＥメールアドレスとして保存することができる。
【００１５】
更に請求項７記載の発明は、上記情報コードはＥメールアドレス内のドメイン部に挿入されるので、請求項１，２，３，４，５又は６記載の発明の効果に加え、請求項６記載の発明の効果と略同様な効果が期待できる。
【００１６】
更に又、請求項８記載の発明は、上記情報コードは郵便番号、年齢、性別、電話番号、識別情報を示す情報コードが選択的に含まれているので、求職者及び／又は求人者の条件を情報コードに挿入して発信することができるので、請求項１，２，３，４，５，６又は７記載の発明の効果に加え、求職者及び／又は求人者の条件又は識別番号等を情報コードに挿入して発信することができる等、正に著大なる効果を奏する発明である。
【発明を実施するための最良の形態】
【００１７】
求職者又は求人者が希望する条件で、希望する時に必要な情報量の求人情報又は求職情報の提供が受けられるようにするという目的をＥメールアドレス内に情報コードを挿入して送信し、求人情報又は求職情報をＷｅｂページで提供することにより実現した。
【実施例１】
【００１８】
図１に於て、１は就職情報提供システムであり、該就職情報提供システム１は、センターサーバ２がインターネット３を介して、求人者が操作する求人者通信端末４，４…と、求職者が操作する求職者通信端末５，５…とに接続されている。尚、前記求人者通信端末４としてパソコン等の通信端末４ａと携帯電話等の携帯通信端末４ｂ等があり、又、前記求職者通信端末５としてパソコン等の通信端末５ａと携帯電話等の携帯通信端末５ｂ等があり、該携帯通信端末４ｂ，５ｂは無線により基地局６，６…に接続され、該基地局６，６…を介して前記インターネット３に接続されている。
【００１９】
又、前記求人者は法人、団体、店等、及び、それらに勤務する従業員等も含まれる。
【００２０】
そして、前記求職者通信端末５及び前記求人者通信端末４は該求職者通信端末５及び該求人者通信端末４から夫々発信する図２に示すＥメールアドレス７及び８内のアカウント部９に後述する情報コードを挿入して発信自在に構成されている。
【００２１】
即ち、前記求職者通信端末５から発信される電子メールの同図（ａ）に示すＥメールアドレス７は、例えば、１８桁の英数文字で構成され、アットマーク１０の前後に夫々前記アカウント部９とドメイン部１１とを備え、該アカウント部９に、例えば、求職の条件を示す求職情報コード１２となる情報コード１３として、例えば、郵便番号１４を示す「１０３００２５」と、年齢１５を示す「２０」と、性別１６の女性を示す「２」とが連続して入力される。
【００２２】
一方、前記求人者通信端末４から発信される電子メールのＥメールアドレス８は同図（ｂ）に示す如く、例えば１５桁の英数文字で構成され、アットマーク１０の前後に夫々前記アカウント部９とドメイン部１１とを備え、該アカウント部９に、情報コード１３として、例えば識別番号１７である例えば「３６６８７９２」が入力される。
【００２３】
尚、図示は省略するが、前記求職者通信端末５から発信するＥメールアドレス７の前記情報コード１３に挿入する求職情報コード１２に代えて識別番号を挿入することも可能であり、又、前記求人者通信端末４から発信するＥメールアドレス８の情報コード１３に挿入する識別番号１７に代えて、後述する求人情報コードとして該求人者が求める求人条件を示す郵便番号、年齢、性別を示す符号を挿入することも可能であり、且つ、該郵便番号、年齢、性別は複数、或いは、範囲で示すことも可能である等、用途に応じて種々の情報コードを挿入することが可能である。
【００２４】
又、図３に示す如く、前記センターサーバ２は送受信手段１８と、求人者から提供される１又は複数の求人者情報１９（Ａ），１９（Ｂ）…から成る求人者情報１９及び求職者から提供される１又は複数の求職者情報２０（ａ），２０（ｂ）…から成る求職者情報２０を記憶する記憶手段２１と、前記情報コード１３に基づき該求人者情報１９（Ａ），１９（Ｂ）…又は求職者情報２０（ａ），２０（ｂ）…を検索する検索手段２２と、Ｗｅｂページ作成手段２３とを備えている。
【００２５】
更に、前記求人者情報１９は予め登録された前記識別情報１７と、求人者名、求人者住所、求人条件、求人案内・ＰＲ等を含む求人情報２４と、Ｅメールアドレス８とから成る。そして、前記求人者通信端末５から送信される情報コード１３のうち、求人条件等を示す情報コードである求人情報コード２５は前記求人情報２４に組み込まれる。そして、該求人者情報１９は適宜更新される。
【００２６】
尚、該求人者情報１９は、予め登録されない場合は、前記求人者通信端末４から発信される前記Ｅメールアドレス８と、求人情報コード２５のみが含まれる求人情報２４とから成る場合もあり、又、予め登録される場合で、前記求人者通信端末４から求人情報コード２５が発信されない場合、該求人情報２４に求人情報コード２５を記憶しない場合もある。
【００２７】
そして、前記求職者情報２０は予め登録された前記識別情報２６と、求職条件等を含む求職情報２７と、前記Ｅメールアドレス７とから成り、前記求職情報コード１２は前記求職情報２７に組み込まれる。そして、該求職者情報２０は適宜更新される。
【００２８】
尚、該求職者情報２０も、予め、登録されない場合等、前記Ｅメールアドレス７と求職情報コード１２のみが含まれる求職情報２７とから成る場合もあり、又、予め登録される場合で、前記求職者通信端末５から求職情報コード１２が発信されない場合、該求職情報２７に求職情報コード１２を記憶していない場合もある。      
【００２９】
而して、図４は前記就職情報提供システム１の求職者通信端末５側の操作を示す処理フロー２８を示し、同図及び図１乃至図３に示す如く、該求職者通信端末５からメール送信するＥメールアドレス７内のアカウント部９に郵便番号１４、年齢１５、性別１６を示す求職情報コード１２が入力されて前記センターサーバ２に送信されると（ステップＳ１）、該センターサーバ２は該求職情報コード１２を受信し（ステップＳ２）、該センターサーバ２に備えられた記憶手段２１内に該求職情報コード１２と、前記求職者通信端末５のＥメールに関する属性情報であるＥメールアドレス７が記憶される（ステップＳ３）。この時、該求職情報コード１２は前記求職情報２７内に組み込まれて記憶される。
【００３０】
そして、該求職情報コード１２に基づき前記求人情報２４を含む前記求人者情報１９（Ａ），１９（Ｂ）…を前記検索手段２２によって検索すれば（ステップＳ４）、該求職情報コード１２に合致する求人者情報１９（ｘ）…が検出される。
【００３１】
次に、センターサーバ２から、前述した検索結果を表示するＷｅｂページのＵＲＬ（Uniform Resource Locator）を前記求職者通信端末５に送信すると（ステップＳ５）、該求職者通信端末５は該ＵＲＬを受信し（ステップＳ６）、求職者が該ＵＲＬを選択し（ステップＳ７）、センターサーバ２が該選択信号を受信すると（ステップＳ８）該センターサーバ２から前記検索によって出力された前記求人者情報１９（ｘ）…のうち前記求人情報２４及びＥメールアドレス８等が表示されるＷｅｂページが送信され（ステップＳ９）、前記求職者通信端末５に該Ｗｅｂページが受信されると（ステップＳ１０）、求職者は該求職者通信端末５によって該Ｗｅｂページを閲覧して前記求人情報２４、Ｅメールアドレス８等を見ることができ、該Ｗｅｂページは求職者が選択することにより、順次複数ページに渡って閲覧することができる。
【００３２】
そして、求職者は求職の申し込み、問合せ等をＥメール等にて求人者に送ることができ（ステップＳ１１）、又、前記求人情報２４内に電話番号が表示されていれば、電話をかけることも可能となる。尚、前記求人者情報１９（ｘ）…は１つ又は複数送信される。
【００３３】
一方、前述した検索結果により検出された求人者情報１９（ｘ）…を提供した求人者通信端末４，４…には前記センターサーバ２から前述した前記求職者通信端末５が発信した前記求職情報コード１２及び該求職者通信端末５のＥメールアドレス７を表示するＷｅｂページのＵＲＬが送信され（ステップＳ１２）、該求人者通信端末４は該ＵＲＬを受信し（ステップＳ１３）、求人者が該ＵＲＬを選択し（ステップＳ１４）、センターサーバ２が該選択信号を受信すると（ステップＳ１５）該センターサーバ２から前記Ｗｅｂページが送信され（ステップＳ１６）、前記求人者通信端末４に該Ｗｅｂページが受信されると（ステップＳ１７）、求人者は該求人者通信端末４によって該Ｗｅｂページを閲覧して前記求職情報コード１２及び該求職者通信端末５のＥメールアドレス７を見ることができ、該Ｗｅｂページは求人者が選択することにより、順次複数ページに渡って閲覧することができる。
【００３４】
そして、求人者は求人の案内、ＰＲ等をＥメール等にて求職者に送ることができ（ステップＳ１８）、又、前記求職情報２７内に電話番号が表示されていれば、電話をかけることも可能となる。尚、前記求職者情報２０は１つ又は複数送信される。尚、前記ステップＳ１２〜Ｓ１６に代えて、前記センターサーバ２からＥメールにて前記求人者通信端末４に前記求職情報コード１２及び該求職者通信端末５のＥメールアドレス７を送ることも可能である。そして、前記処理フロー２８は繰り返し実行される。
【００３５】
又、図５は前記就職情報提供システム１の求人者側の操作を示す処理フロー２９を示し、同図及び図１乃至図３に示す如く、前記求人者通信端末４からメール送信するＥメールアドレス８内のアカウント部９に求人者の識別番号１７を示す情報コード１３が入力されて前記センターサーバ２に送信されると（ステップＳ２１）、該センターサーバ２は該情報コード１３を受信し（ステップＳ２２）、該センターサーバ２に備えられた記憶手段２１等内に識別番号１７を示す情報コード１３が記憶される（ステップＳ２３）。
【００３６】
そして、該情報コード１３内の識別番号１７に合致する識別番号１７を有する前記求人者情報１９の求人情報２４によって前記求職者情報２０，２０…を検索すれば（ステップＳ２４）、該求人情報２４に合致する求職者情報２０，２０…が検出される。
【００３７】
次に、前記センターサーバ２から前述した検索の結果を表示するＷｅｂページのＵＲＬを前記求人者通信端末４に送信すると（ステップＳ２５）、該求人者通信端末４は該ＵＲＬを受信し（ステップＳ２６）、更に、求人者が該ＵＲＬを選択し（ステップＳ２７）センターサーバ２がその選択信号を受信すると（ステップＳ２８）該センターサーバ２から前記検索によって出力された前記求職者情報２０を表示するＷｅｂページが送信され（ステップＳ２９）、前記求人者通信端末４に該Ｗｅｂページが受信されると（ステップＳ３０）求人者は該求人者通信端末４によって該Ｗｅｂページを閲覧して前記求職者情報２０の求職情報２７、求職情報コード１２及びＥメールアドレス７等を見ることができ、該Ｗｅｂページは求人者が選択することにより、順次複数ページに渡って閲覧することができる。
【００３８】
そして、求人者は求人の案内等をメールにて求人者に送ることができる（ステップＳ３１）。尚、前記求職者情報２０は１つ又は複数送信される。
【００３９】
一方、前述した検索結果により検出された求職者情報２０，２０…を提供した求職者の求職者通信端末５，５には前記センターサーバ２から前記求人情報２４及び該求人者通信端末４のＥメールアドレス８を表示するＷｅｂページのＵＲＬが送信され、（ステップＳ３２）、該求職者通信端末５は該ＵＲＬを受信し（ステップＳ３３）、求職者が該ＵＲＬを選択し（ステップＳ３４）、センターサーバ２が該選択信号を受信すると（ステップＳ３５）該センターサーバ２から前記求人情報２４及び該求人者通信端末４のＥメールアドレス８を表示するＷｅｂページが送信され（ステップＳ３２）、前記求職者通信端末５に該Ｗｅｂページが受信されると（ステップＳ３７）、求職者は該求職者通信端末５によって該Ｗｅｂページを閲覧して前記求人情報２４及びＥメールアドレス８等を見ることができ、該Ｗｅｂページは求職者が選択することにより、順次複数ページに渡って閲覧することができる。
【００４０】
そして、求職者は求職の申し込み等を求人者に送ることができ（ステップＳ３８）、又、前記求人情報２４内に電話番号が表示されていれば、電話をかけることも可能となる。そして、前記処理フロー２９は繰り返し実行される。
【００４１】
尚、前記求人情報２４は１つ又は複数送信される。又、前記ステップＳ３２のＵＲＬ送信に代えて、前記センターサーバ２からＥメールにて前記求職者通信端末５に前記求人情報コード２５及び該求人者通信端末４のＥメールアドレス８を送ることも可能である。
【００４２】
更に、前記ステップＳ２１に於て、Ｅメールアドレス８内のアカウント部９に求人者の識別番号１７を示す情報コード１３が入力されたが、これに代えて求人情報コード２５を示す情報コード１３を入力することも可能である。然る時は、ステップＳ２４に於て該求人情報コード２５に基づく検索が行われる。
【００４３】
斯くして、前記就職情報提供システム１は、求職者通信端末５又は求人者通信端末４の通信端末から容易に求職又は求人に関する情報コード１３を送信でき、且つ、前記センターサーバ２は該情報コード１３に基づく求人者情報１９又は求職者情報２０を該求職者通信端末５又は求人者通信端末４に容易に提供することができる。
【００４４】
又、前記就職情報提供システム１は、検索された求人者情報１９又は求職者情報２０を提供した求人者通信端末４又は求職者通信端末５に求職情報コード１２又は求人情報コード２５、求職情報２７又は求人情報２４及びＥメールアドレス７又は８等を容易に提供することができる。
【００４５】
更に又、前記求人者情報１９又は求職者情報２０はＷｅｂページで提供されるので、求職者又は求人者は求職者通信端末５又は前記求人者通信端末４によって必要な時に必要量の情報を効率良く受けとることができると共に、該Ｗｅｂページは情報が見易いという利点がある。
【００４６】
そして、前記情報コード１３はＥメールアドレス７又は８内のアカウント部９に挿入されるので、該情報コード１３の発信が容易になると共に、該情報コード１３をＥメールアドレスとして保存することも可能である。
【００４７】
又、前記情報コード１３は求職者の郵便番号、年齢、性別、識別番号等が選択的に含まれているので、求職者は求職者の条件を匿名で容易に送信することができ、且つ、求人者も求人者の識別番号を容易に送信することができる。
【００４８】
尚、図示は省略するが、前記郵便番号１４に代えて電話番号を示す情報コードを挿入することも可能であり、然るときも略同様の効果が期待できる。
【００４９】
又、前記就職情報提供システム１に於て、前記情報コード１３をアカウント部９に挿入したが、図２に示す如く、ドメイン部１１に、例えば、「９４９」あるいは「９１０」の如く、所定の求職情報コード１２毎あるいは所定の求人情報コード２５毎にサーバのドメイン名を割り当てることも可能であり、然るときも該所定の情報コード毎に個別のサーバを利用することになり、検索時間を含めたシステム全体の処理時間を短縮することができるといった効果を得ることができる。
【００５０】
更に、前記就職情報提供システム１に於て、情報コード１３に郵便番号１４、年齢１５、性別１６、識別情報１７を示す情報コードを選択的に挿入したが、これらに限定されることなく、Ｅメールアドレスに使用できる符号として許容される範囲内で、その用途に応じて種々の情報コードを挿入することが可能である。
【００５１】
尚、本発明は、本発明の精神を逸脱しない限り種々の改変を為すことができ、そして、本発明が該改変されたものに及ぶことは当然である。
【図面の簡単な説明】
【００５２】
【図１】本発明の一実施の形態を示し、就職情報提供システムの概念図。
【図２】（ａ）本発明の一実施の形態を示し、Ｅメールアドレスの概念図。（ｂ）本発明の一実施の形態を示し、他のＥメールアドレスの概念図。
【図３】本発明の一実施の形態を示し、センターサーバの概念図。
【図４】本発明の一実施の形態を示し、就職情報提供システムに於て求職者通信端末から情報コードを送信する場合の処理フロー。
【図５】本発明の一実施の形態を示し、就職情報提供システムに於いて求人者通信端末から情報コードを送信する場合の処理フロー。
【符号の説明】
【００５３】
１          就職情報提供システム
２          センターサーバ
３          インターネット
４          求人者通信端末
５          求職者通信端末
７，８      Ｅメールアドレス
９          アカウント部
１１          ドメイン部
１２          求職情報コード
１３          情報コード
１４          郵便番号
１５          年齢
１６          性別
１７          識別番号
２１          記憶手段
２２          検索手段
２３          Ｗｅｂページ作成手段    
２４          求人情報
２５          求人情報コード
２６          識別情報
２７          求職情報
【図１】
2005071279.tif 000003
【図２】
2005071279.tif 000004
【図３】
2005071279.tif 000005
【図４】
2005071279.tif 000006
【図５】
2005071279.tif 000007